(57)【要約】      （修正有）【課題】ブラシヘッド及びブラシヘッドを備える蒸気クリーナを提供する。【解決手段】ラシヘッドは連結ヘッドと、連結座及び前記連結座に設けてあるスポンジ３とを備える。前記連結ヘッドの内部に貫通孔が設置され、その一端が前記連結座と接合出来、他端が蒸気輸送ホースと接合する。前記連結座の前記連結ヘッドの貫通孔に対応する位置に複数の小孔が設けられ、前記スポンジは連結ヘッドの小孔に対応する位置に、複数の排気孔が設けられる。スポンジで品物の表面を洗浄することにより、洗浄面積を増加出来、洗浄面表面の擦り傷と高温蒸気の直接接触により品物表面の破損を防止し、洗浄効率が良い。また、蒸気排出量が低減され、節水効果と共に、省エネルギー及び環境保護効果を図れる。【選択図】図３
0003171040.tif 000002
【実用新案登録請求の範囲】
【請求項１】
連結ヘッドと、連結座と、連結座に設けてあるスポンジとを備え、
前記連結ヘッドの内部に貫通孔を備え、その一端が前記連結座と接合出来、他端が蒸気輸送ホースと接合し、
前記連結座の前記連結ヘッドの貫通孔に対応する位置に複数小孔が設けられ、
前記スポンジ上で連結ヘッドの小孔に対応する位置に複数の排気孔が設けられることを特徴とするブラシヘッド。
【請求項２】
前記連結座に設けられるチャックと、
チャックにより連結座に固定されるスポンジを有することを特徴とする請求項１記載のブラシヘッド。
【請求項３】
前記連結座に設けられる嵌め込み溝と、
嵌め込み溝に装着されるスポンジと、
嵌め込み溝に設けられる一つ或いは複数のスポンジ固定用補強針を有することを特徴とする請求項１記載のブラシヘッド。
【請求項４】
前記連結座に設けられる上留め具と、
スポンジの対応位置に設けられる下留め具と、
上、下留め具により連結座に固定されるスポンジを有することを特徴とする請求項１記載のブラシヘッド。
【請求項５】
前記連結座の外部を覆うスポンジを有することを特徴する請求項１記載のブラシヘッド。
【請求項６】
如何なる形状をも呈することができる連結座とスポンジの連結部を有することを特徴とする請求項１乃至請求項５の何れかに記載のブラシヘッド。
【請求項７】
Ｔ型ブラシ柄（１）と、
カバープレート（２）と、
カバープレート（２）の上に設けられるスポンジ（３）と、
その中、このブラシ柄（１）の縦方向部材（１１）の長さ方向に設置される中央貫通孔（１１ａ）と、
横方向部材（１２）が薄ぺらのボックス形状を呈し、且つ細長い出口（１２ａ）を有し、この出口が中央貫通孔（１１ａ）と連通し、前記カバープレート（２）がブラシ柄（１）の横方向部材（１２）の表面を覆い、また出口（１２ａ）に対応するカバープレート（２）の位置に設けられる一列の小孔（２１）と、
またこの一列小孔（２１）に対応するスポンジ（３）の位置に設置される細長い孔を有することを特徴とするブラシヘッド。
【請求項８】
前記カバープレート（２）の表面とスポンジ（３）の底面に設けられる一組のオス、メス留め具と、
バープレート（２）の表面に設置される粘着層（４）を有することを特徴とする請求項７に記載のブラシヘッド。
【請求項９】
前記カバープレート（２）が、取外方式でブラシ柄（１）の横方向部材（１２）と接合出来、詳しくはブラシ柄（１）の横方向部材（１２）の外縁に設置される一組の逆Ｊ型（フック型）弾性留め具（１２ｂ）と、
カバープレート（２）外縁の対応位置に設置される切り欠きを有することを特徴とする請求項７乃至請求項８に記載のブラシヘッド。
【請求項１０】
前記構造部分の他、蒸気発生装置、蒸気輸送ホース及びスプレーガンを備え、
蒸気輸送ホースの両端がそれぞれスプレーガンの末端及び蒸気発生装置をそれぞれ接合出来、先端がブラシヘッドと連結されることを特徴とする請求項１乃至請求項７に記載のブラシヘッドを有する蒸気クリーナー。
【考案の詳細な説明】
【技術分野】
【０００１】
本考案は洗浄器具の技術分野に係るものであり、特に蒸気クリーナー及び蒸気クリーナーに用いられるブラシヘッドに関する。
【背景技術】
【０００２】
現在、生活及び工業生産において、台所用品、壁、扉及び窓のガラス、自動車、大型計器及び設備などが、長時間使用されると洗浄する必要があり、洗浄方式として水洗、蒸気洗浄、超音波洗浄などがある。
【０００３】
蒸気洗浄は高温高圧状態の飽和蒸気を用い、洗浄物表面の油汚れを溶解し、ガス化して蒸発させることにより、飽和蒸気洗浄後の表面を超清浄状態にすることが出来る。また、過飽和蒸気は効果的に如何なる細かい孔及び隙間にも侵入し、その中の汚れ及び残留物をはく離そして除去出来る。主に工業設備の洗浄、屋外車両のメンテナンス、工業用軸受けのメンテナンス洗浄、部品表面の油汚れの除去、自動車内部及び外部の洗浄、食品工業設備及び用具の洗浄消毒、医療器具の洗浄消毒、衛生防疫などに用いられる。但し、そのデメリットは蒸気或いは従来のブラシヘッドが直接に洗浄物と接触すると、洗浄物表面の破損または洗浄効果不良の恐れがあることである。
【０００４】
蒸気洗浄を行う際に蒸気クリーナーを用いる必要があり、例えば蒸気洗車機が蒸気の熱量及び瞬時に発生した或いは蒸気貯めにより発生した圧力を利用し、配管から発生した少量の凝結水により洗車を行う蒸気クリーナーである。一例としては、特許番号ZL01232033.1（公告番号CN2482520Y）の中国実用新案「圧力蒸気洗浄機」は当該蒸気洗車機を開示したものである。従来の蒸気洗車機は、蒸気発生装置、蒸気輸送ホース及びスプレーガンを有する。スプレーガンが蒸気輸送ホースにて蒸気発生装置と連結出来、稼動の際に蒸気発生装置からの蒸気が蒸気輸送ホースを経て、最後にスプレーガン先端の小さい丸孔から噴出され、自動車の表面に直接噴射出来る。
【先行技術文献】
【特許文献】
【０００５】
【特許文献１】中国実用新案公開公報第ＣＮ２４８２５２０Ｙ号
【考案の概要】
【考案が解決しようとする課題】
【０００６】
しかしながら、実際の使用においては、スプレーガン先端の小さい丸孔から噴出された蒸気が自動車表面に分布する面積が小さすぎ、洗浄中に時間及び作業量の無駄があり、一台当たり自動車洗浄用水の消耗量が多く、また蒸気分布の不均一現象があり、洗浄効果に影響を及ぼす。
【０００７】
従来技術の現状に対し、本考案によりブラシヘッド及び蒸気クリーナーを提供し、ブラシヘッドがスプレーガンの先端と連結出来、洗浄面積を増加出来、砂などの小粒子物質に包囲効果があり、蒸気の分布を均一にすることで、優れた洗浄効果をもたらす。また、大幅に節水でき、省エネルギー及び環境保護効果を図ることができる。
【課題を解決するための手段】
【０００８】
前記目的を実現するため、本考案はブラシヘッドを提供する。前記ブラシヘッドは連結ヘッド、連結座及び前記連結座に設けられたスポンジを有する。前記連結ヘッドの内部に貫通孔が設けられ、その一端が前記連結座と連結出来、他の一端が蒸気輸送ホースと連結する。前記連結座の前記連結ヘッドの貫通孔に対応する位置に、複数の小孔が設けられ、前記スポンジが前記連結ヘッドの小孔に対応する位置に、複数の排気孔が設けられる。
【０００９】
望ましくは、前記連結座にチャックが設けられ、スポンジがチャックにより連結座に固定される。
【００１０】
更に望ましくは、前記の連結座に嵌め込み溝が設けられ、スポンジが嵌め込み溝に装着され、嵌め込み溝に一つないし複数のスポンジ固定用補強針が設けられる。
【００１１】
更に望ましくは、前記連結座に上留め具が設けられ、スポンジの対応位置に下留め具が設けられ、上、下留め具でスポンジを連結座に固定する。
【００１２】
更に望ましくは、前記連結座の外部がスポンジに覆われる。
【００１３】
更に望ましくは、前記連結座とスポンジの連結部は如何なる形状であってもよい。
【００１４】
本考案の技術考案はもう一つのブラシヘッドを提供する。
【００１５】
当該ブラシヘッドは、Ｔ型ブラシ柄、カバープレート及びカバープレートの上に設けられるスポンジを有する。その中、当該ブラシ柄の縦方向部材の長さ方向に沿って中央貫通孔が設けられ、横方向部材が薄ぺらのボックス形を呈し、且つ細長い出口を有し、この出口が中央貫通孔と連通出来、前記カバープレートがブラシ柄の横方向部材の表面を覆い、また出口に対応するカバープレートの位置に一列の小孔が設けられ、またこの一列小孔に対応するスポンジの位置に細長い孔が設けられる。
【００１６】
前記スポンジは色んな方式で固定或いは可動の形でカバープレートの表面に設られる。スポンジの着脱、繰り返しの洗浄及び繰り返しの使用が出来るように、前記カバープレートの表面とスポンジの底面に、一組のオス、メス留め具が設けられる。また、通常カバープレートが一体形成のものであり、カバープレートの表面に粘着層が設られることにより、スポンジの貼り付け及び着脱の利便性を向上出来る。
【００１７】
ブラシヘッド内部を洗浄するため、前記カバープレートは取外方式でブラシ柄の横方向部材と連結出来る。詳細について、前記ブラシ柄横方向部材の外縁に一組の逆Ｊ型（フック型）弾性留め具が設けられ、またカバープレート外縁の対応位置に切り欠きが設けられる。各留め具が両側と横方向部材の隙間によりある程度の弾性を有し、この逆Ｊ型（フック型）弾性留め具のフック部材が切り欠きにロックされることにより、カバープレートを可動セッティング/取外方式でブラシ柄横方向部材に接合出来る。
【００１８】
なお、本考案はブラシヘッド付き蒸気クリーナーを提供する。前記蒸気クリーナーは、蒸気発生装置、蒸気輸送ホース及びスプレーガンを有する。蒸気輸送ホースの両端がそれぞれスプレーガンの末端及び蒸気発生装置と連結でき、スプレーガンの先端がブラシヘッドと連結する
【考案の効果】
【００１９】
従来の技術と比較して、本考案のメリットは以下のとおりである。本考案のブラシヘッドが蒸気クリーナーの先端に連結でき、蒸気が小孔から集中的に噴出された後、大面積のスポンジの中に入り、スポンジで洗浄物の表面を洗浄することにより、擦り傷から洗浄面の表面を保護し、高温蒸気と洗浄面との直接接触による洗浄物表面の破損を防止し、洗浄効率が非常に良く、取り扱いが快適且つ便利であり、蒸気の分布をより均一にし、洗浄効果も非常に良い。また、蒸気の噴出口が小孔に集中されるため、蒸気排出量が大幅に減少されることで節水もでき、環境保護及び省エネルギーに利し、１Ｌの水で一台の車両を洗浄できる効果を有する他、地面の汚染も防止出来る。
【図面の簡単な説明】
【００２０】
【図１】本考案の実施例１によるブラシヘッドの構造を示す図面である。
【図２】本考案の実施例１によるブラシヘッドのスポンジ取外し後の構造を示す図面である。
【図３】本考案の実施例１によるブラシヘッドの立体分解を示す図面である。
【図４】本考案の実施例６によるブラシヘッドのスポンジ取外し後の構造を示す図面である。
【図５】本考案の実施例６ないし７のブラシヘッドの連結ヘッドの構造を示す図面である。
【図６】本考案の実施例７のブラシヘッドのスポンジ取外し後の構造を示す図面である。
【考案を実施するための形態】
【００２１】
添付図により、本考案の具体的な実施例を詳しく説明する。下記の実施例は本考案の説明に用いるが、本考案の範囲を限定するものではない。
【００２２】
実施例１：
当該実施例のブラシヘッドの構造図が図１、図２及び図３に示される。当該ブラシヘッドは、Ｔ型ブラシ柄１、カバープレート２及びカバープレート２に設けられるスポンジ３を有する。
【００２３】
その内、当該ブラシ柄１の縦方向部材１１はパイプ状を呈し、それと連結された横方向に延びる組立体は薄ぺらの表面に開口付きボックス状を呈し、縦方向部材１１の端部がスムーズに横方向部材１２と連結した後、縦方向部材１１に中央通孔１１ａを有し、横方向部材１２に細長い出口１２ａを有し、中央通孔１１ａが出口１２ａと連通できる。
【００２４】
前記カバープレート２が取外方式でブラシ柄１のボックス状横方向部材１２の表面を覆い、詳細な可動連結の構造について、前記ブラシ柄１の横方向部材１２の外縁に、２組の逆Ｊ型（フック型）留め具１２ｂが設けられ、前記カバープレート２外縁の相対位置に切り欠き２２が設けられる。また、出口１２ａに対応するカバープレート２の位置に一列の小孔２１を有する。
【００２５】
当該小孔２１に対応する前記スポンジ３の位置に、細長い孔３１が設けられ、蒸気の排出に用いられる。
【００２６】
また、前記カバープレート２の表面に粘着層４が設けられ、一列の小孔の外縁を囲い、前記スポンジ３の底面にカバープレート２表面の粘着層４と組み合わせることで一組のオス、メス留め具を形成する。
【００２７】
実施例２：
本実施例における前記カバープレート２とスポンジ３の連結方式は、以下のとおりである。カバープレート２の両側にそれぞれチャックが設けられ、スポンジ３がチャックにてカバープレート２の上に固定される。その他、実施例１と同様である。
【００２８】
実施例３：
本実施例における前記カバープレート２とスポンジ３の更なる連結方式は、以下のとおりである。前記カバープレート２に嵌め込み溝が設けられ、前記スポンジ３が嵌め込み溝に装着され、嵌め込み溝内に１つ或いは複数のスポンジ３固定用補強針を有する。その他の点は、実施例１と同様である。
【００２９】
実施例４：
本実施例における前記カバープレート２とスポンジ３の更なる連結方式は、以下のとおりである。前記カバープレート２に上留め具が設けられ、前記スポンジ３の対応しあう位置に下留め具が設けられ、スポンジ３が上下留め具でカバープレート２に固定される。その他の点は、実施例１と同様である。
【００３０】
実施例５：
本実施例における前記カバープレート２とスポンジ３のその他の連結方式は以下のとおりである。カバープレート２、ブラシ柄１、及び横方向部材１２がスポンジ３に覆われる。その他は、実施例１と同様である。
【００３１】
実施例１〜５では、使用の際に本考案のブラシヘッドが、蒸気クリーナーのスプレーガンに挿し込まれ、スプレーガンの先端より噴出された蒸気が、ブラシ柄１の縦方向部材１１、横方向部材１２の出口１２ａを順次に通り、そしてカバープレート２に設けてある一列の小孔２１を介して集中的に排出され、そのため均一にスポンジ３に散布できる。使用者がブラシヘッドを操作することにより、スポンジ３で洗浄物の表面を洗浄し、洗浄の目的を達成できる。
【００３２】
実施例６：
当該実施例のブラシヘッドの構造は図４に示され、また、その連結ヘッドの構造は図５に示されている。当該ブラシヘッドは、連結ヘッド５、連結座６及び連結座６に設けられるスポンジを有する。前記連結ヘッドの内部に通孔５１を有し、一端が連結座６と連結され、他端が蒸気輸送ホースと連結する。連結ヘッド通孔５１と対応しあう連結座６の位置に複数の小孔が設けられ、小孔と対応しあうスポンジの位置に、排気口を有する。前記連結座６とスポンジの連結部が丸い形を呈する。
【００３３】
実施例７：
当該実施例のブラシヘッドの構造は図５に示され、また、その連結ヘッドの構造は図６に示されている。本実施例では、実施例６と比較して異なる連結座を用いている。本実施例では連結座７を用い、連結ヘッド通孔５１と対応しあう連結座７の位置に複数の小孔７１が設けられ、スポンジとの連結部が薄ぺらい形状を呈する。その他は、実施例６と同様である。
【００３４】
実施例６ないし７では、使用の際に本考案のブラシヘッドが、蒸気クリーナーのスプレーガンに挿し込まれ、スプレーガンの先端より噴出された蒸気が、連結ヘッド５、連結ヘッド５の通孔５１を順次に通り、そして連結座６の複数小孔を介して集中的に排出され、その結果均一にスポンジに分布できる。使用者がブラシヘッドを操作することにより、スポンジで洗浄物の表面を洗浄し、洗浄の目的を達成する。
【００３５】
実施例８：
当該実施例はブラシヘッド付き蒸気クリーナーを提供する。前記ブラシヘッドが実施例１〜７のいずれかの一種であり、クリーナーが蒸気発生装置、蒸気輸送ホース及びスプレーガンを有し、蒸気輸送ホースの両端がそれぞれスプレーガンの末端及び蒸気発生装置と連結でき、スプレーガンの先端がブラシヘッドと連結する。
【００３６】
本考案のブラシヘッド及び前記クリーナーは、台所用具、壁、扉及び窓ガラス、自動車、大型計器及び設備、自転車、トイレ、シャッター、排気扇などの洗浄工具として使用できる。
【００３７】
本考案実施例のブラシヘッドが蒸気クリーナースプレーガンの先端に連結でき、蒸気が小孔から集中に噴出された後、大面積のスポンジの中に入り、スポンジで自動車の表面を洗浄することにより、擦り傷から洗浄面の表面を保護し、高温蒸気が洗浄面との直接接触による自動車表面の破損を防止し、洗浄効率が非常に良く、取り扱いが快適且つ便利であり、蒸気の分布をより均一にし、洗浄効果が非常に良いものである。また、蒸気の噴出口が小孔に集中されるため、蒸気排出量が大幅に減少され、最大限に節水でき、環境保護及び省エネルギーに利し、１Ｌの水で一台の車両を洗浄できる効果を図れる上、地面の汚染も防止出来る。
【００３８】
前記の実施例は本考案の実施の一例に過ぎないので、当該技術分野の当業者にとり、当該考案の原理を逸脱しない限り、若干の改善及び修整を加えることも可能であり、これらの改善及び修整も本考案の権利保護範囲とみなされるべきである。
【図１】
0003171040.tif 000003
【図２】
0003171040.tif 000004
【図３】
0003171040.tif 000005
【図４】
0003171040.tif 000006
【図５】
0003171040.tif 000007
【図６】
0003171040.tif 000008